【手続補正書】
【提出日】平成26年6月25日(2014.6.25)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、正の屈折力の第３レンズ群、１以上のレンズ群を含む後群より構成され、
ズーミングに際して各レンズ群の間隔が変化するズームレンズにおいて、
前記第１レンズ群は１つの負レンズを含む３つのレンズから構成され、前記第１レンズ群の負レンズの材料の部分分散比をθｇＦ、アッベ数をνｄ、広角端における全系の焦点距離をｆＷ、前記第１レンズ群の焦点距離をｆ１とするとき、
３５．０＜νｄ＜５０．０
０．５２＜θｇＦ
θｇＦ＜−０．００２０３×νｄ＋０．６５６
１５．０＜ｆ１／ｆＷ＜３０．０
なる条件を満足することを特徴とするズームレンズ。
【請求項２】
広角端における前記第２レンズ群の横倍率をβ２Ｗ、望遠端における前記第２レンズ群の横倍率をβ２Ｔ、広角端における前記第３レンズ群の横倍率をβ３Ｗ、望遠端における前記第３レンズ群の横倍率をβ３Ｔとするとき、
２．８＜（β２Ｔ・β３Ｗ）／（β２Ｗ・β３Ｔ）＜６．５
なる条件を満足することを特徴とする請求項１のズームレンズ。
【請求項３】
前記第３レンズ群の焦点距離をｆ３とするとき、
３．５＜ｆ３／ｆＷ＜６．５
なる条件を満足することを特徴とする請求項１又は２のズームレンズ。
【請求項４】
前記第１レンズ群は、物体側より像側へ順に、負レンズ、正レンズ、正レンズからなることを特徴とする請求項１乃至３のいずれか１項のズームレンズ。
【請求項５】
前記第１レンズ群の負レンズの材料の屈折率をｎｄとするとき、
１．７５＜ｎｄ＜２．１０
なる条件を満足することを特徴とする請求項１乃至４のいずれか１項のズームレンズ。
【請求項６】
前記第２レンズ群と前記第３レンズ群の間に開口絞りを有することを特徴とする請求項１乃至５のいずれか１項のズームレンズ。
【請求項７】
前記第１レンズ群と前記第２レンズ群と前記第３レンズ群はズーミングに際して移動することを特徴とする請求項１乃至６のいずれか１項のズームレンズ。
【請求項８】
前記第２レンズ群と前記第３レンズ群の間に、ズーミングに際して他のレンズ群とは異なる軌跡で移動する開口絞りを有することを特徴とする請求項１乃至７のいずれか１項のズームレンズ。
【請求項９】
前記第２レンズ群と前記第３レンズ群の間に開口絞りを有し、前記第２レンズ群の像側のレンズ面と前記開口絞りの広角端における間隔をＤ２、前記開口絞りと第３レンズ群の物体側のレンズ面との広角端における間隔をＤ３とするとき、
１．０＜Ｄ２／Ｄ３＜５．０
なる条件を満足することを特徴とする請求項１乃至８のいずれか１項のズームレンズ。
【請求項１０】
前記第１レンズ群は、広角端から望遠端へのズーミングに際して、像側へ移動したのち物体側へ移動することを特徴とする請求項１乃至９のいずれか１項のズームレンズ。
【請求項１１】
無限遠物体から近距離物体へのフォーカシングに際して、最も像側のレンズ群が物体側へ移動することを特徴とする請求項１乃至１０のいずれか１項のズームレンズ。
【請求項１２】
前記後群は、正の屈折力の第４レンズ群からなることを特徴とする請求項１乃至１１のいずれか１項に記載のズームレンズ。
【請求項１３】
前記後群は、物体側より像側へ順に負の屈折力の第４レンズ群、正の屈折力の第５レンズ群からなることを特徴とする請求項１乃至１１のいずれか１項に記載のズームレンズ。
【請求項１４】
前記後群は、物体側より像側へ順に正の屈折力の第４レンズ群、正の屈折力の第５レンズ群からなることを特徴とする請求項１乃至１１のいずれか１項に記載のズームレンズ。
【請求項１５】
請求項１乃至１４のいずれか１項のズームレンズと、該ズームレンズによって形成される像を受光する光電変換素子を有することを特徴とする撮像装置。
【手続補正２】
【補正対象書類名】明細書
【補正対象項目名】００１２
【補正方法】変更
【補正の内容】
【００１２】
本発明は、望遠端における色収差の発生を軽減することができ、高ズーム比でズーム全域で良好な光学特性が得られるズームレンズ及びそれを有する撮像装置の提供を目的とする。
【手続補正３】
【補正対象書類名】明細書
【補正対象項目名】００４８
【補正方法】変更
【補正の内容】
【００４８】
また、条件式（１）の下限値を超えて負レンズの材料のアッベ数が小さくなると、接合レンズ面が緩くなるため、全系の小型化には有利になるが、θｇＦ−νｄ図におけるノーマルラインよりも下側に現存する材料が少なくなる。
【手続補正４】
【補正対象書類名】明細書
【補正対象項目名】００４９
【補正方法】変更
【補正の内容】
【００４９】
各実施例において、第１レンズＬ１はポジティブリードのズームレンズにおいて、収差補正に大変重要な役割を持っている。第１レンズ群Ｌ１にて発生した収差は、第１レンズ群Ｌ１以降で像面まで続く各レンズ群の横倍率分だけ収差が拡大されるため、第１レンズＬ１にて発生する収差を極力抑える必要がある。高ズーム比化により発生する軸上色収差を抑えるためには、θｇＦ−νｄ図において、第１レンズ群Ｌ１内の負レンズと正レンズの硝材を結んだ直線の傾きが緩やかなほど、軸上色収差の二次スペクトルを補正することができる。
【手続補正５】
【補正対象書類名】明細書
【補正対象項目名】００５０
【補正方法】変更
【補正の内容】
【００５０】
条件式（２）、（３）は第１レンズ群Ｌ１内の負レンズの材料の部分分散比θｇＦを規定する。θｇＦ−νｄ図において条件式（２）の下限値を超えて部分分散比θｇＦが小さくなる領域に存在する材料が少なく良好なる色収差の補正が困難になる。条件式（３）の上限値を超えて部分分散比θｇＦが大きくなると、θｇＦ−νｄ図における、負レンズと正レンズの硝材を結ぶ直性が緩くできなくなり、軸上色収差の二次スペクトルが大きく残り、高ズーム比化を図りつつ高い光学性能を得るのが困難になる。
【手続補正６】
【補正対象書類名】明細書
【補正対象項目名】００５５
【補正方法】変更
【補正の内容】
【００５５】
第２レンズ群Ｌ２と第３レンズ群Ｌ３の間に開口絞りＳＰ１を有する。第２レンズ群Ｌ２の像側のレンズ面と開口絞りＳＰ１の広角端における間隔をＤ２、開口絞りＳＰ１と第３レンズ群Ｌ３の物体側のレンズ面との広角端における間隔をＤ３とする。
【手続補正７】
【補正対象書類名】明細書
【補正対象項目名】００７５
【補正方法】変更
【補正の内容】
【００７５】
［数値実施例１］
単位 mm
面データ
面番号       r        d      nd         νd
1        119.576    1.00   1.83400    37.2           
2         51.419    5.60   1.43875    94.9           
3       -147.300    0.18                             
4         44.379    3.50   1.59282    68.6           
5        180.498  (可変)                             
6*       288.112    0.70   1.88300    40.8           
7*         8.444    4.74                             
8        -36.488    0.50   1.80400    46.6           
9         29.602    0.20                             
10         16.959    2.10   1.94595    18.0           
11         84.370  (可変)                             
12(絞り)    ∞     (可変)                             
13*        10.061    3.00   1.55332    71.7           
14*       -71.895    2.41                             
15         64.971    0.50   1.64769    33.8           
16         11.608    0.30                             
17         16.053    0.50   1.80400    46.6           
18          8.534    2.65   1.48749    70.2           
19        -27.107    0.30                             
20(メカ絞り) ∞     (可変)                             
21         62.247    0.50   1.48749    70.2           
22         26.036  (可変)                             
23         22.969    2.40   1.74950    35.3           
24        -28.878    0.50   1.94595    18.0           
25       -191.214  (可変)                             
26          ∞       0.80   1.51633    64.1           
27          ∞                                  
像面        ∞   
非球面データ
第6面
K =-9.14422e+003  A 4= 2.34814e-005  A 6= 9.69906e-008  A 8=-5.04619e-009
A10= 2.35248e-011  A12= 3.48194e-014  
第7面
K = 3.26999e-002  A 4=-4.15397e-005  A 6= 1.45953e-006  A 8=-1.43685e-008
A10=-1.78519e-010  A12=-4.13256e-012  
第13面
K =-2.41375e-001  A 4=-3.45832e-005  A 6= 2.31336e-007  A 8=-8.42476e-009
A10= 2.62605e-010  
第14面
K = 1.13438e+002  A 4= 1.01182e-004  A 6= 9.37832e-007  
各種データ
ズーム比     48.37 
広角     中間     望遠
焦点距離       4.30    13.31   208.00  
Fナンバー      2.87     5.00     7.07  
半画角（度）  37.77    16.23     1.07  
像高           3.33     3.88     3.88  
レンズ全長    94.61    94.08   138.53  
BF             1.00     1.00     1.00  
d 5            0.78    17.42    63.13  
d11           34.14    13.08     1.03  
d12           10.29     3.45    -0.50  
d20            2.19     2.25     7.47  
d22            4.80     6.51    25.90  
d25            9.05    17.99     8.12  
ズームレンズ群データ
群  始面    焦点距離  
1    1      80.24  
2    6      -9.34  
3   12       ∞    
4   13      19.93  
5   21     -92.22  
6   23      32.44  
7   26       ∞    
【手続補正８】
【補正対象書類名】明細書
【補正対象項目名】００７６
【補正方法】変更
【補正の内容】
【００７６】
［数値実施例２］
単位 mm
面データ
面番号       r        d      nd         νd
1        118.968    1.00   1.83400    37.2           
2         51.380    5.65   1.43875    94.9           
3       -145.612    0.18                             
4         44.412    3.60   1.59282    68.6           
5        180.136  (可変)                             
6*       312.978    0.70   1.88300    40.8           
7*         8.452    4.72                             
8        -36.104    0.50   1.80400    46.6           
9         28.730    0.20                             
10         16.966    2.00   1.94595    18.0           
11         86.851  (可変)                             
12(絞り)    ∞     (可変)                             
13*        10.061    3.05   1.55332    71.7           
14*       -71.895    2.09                             
15         62.759    0.50   1.64769    33.8           
16         11.893    0.28                             
17         16.708    0.50   1.80400    46.6           
18          8.677    2.50   1.48749    70.2           
19        -24.962    0.30                             
20        190.183    0.50   1.43875    94.9           
21         35.988    0.50                             
22(メカ絞り) ∞     (可変)                             
23         24.738    2.50   1.74950    35.3           
24        -26.797    0.50   1.94595    18.0           
25       -148.041  (可変)                             
26          ∞       0.80   1.51633    64.1           
27          ∞                               
像面        ∞   
非球面データ
第6面
K =-1.98055e+004  A 4= 2.87252e-005  A 6= 1.63101e-007  A 8=-8.77304e-009
A10= 4.35048e-011  A12= 8.01470e-014  
第7面
K = 1.02030e-001  A 4=-7.75234e-005  A 6= 2.87946e-006  A 8=-4.23726e-008
A10=-5.29929e-010  A12=-1.95533e-012  
第13面
K =-1.27865e-001  A 4=-1.27208e-005  A 6=-1.13483e-006  A 8= 4.58871e-009
A10= 2.62605e-010  
第14面
K = 7.20097e+001  A 4= 1.32020e-004  A 6=-6.91235e-007  
各種データ
ズーム比     48.38 
広角     中間     望遠
焦点距離       4.30    13.09   208.05  
Fナンバー      2.87     5.00     7.07  
半画角（度）  37.77    16.49     1.07  
像高           3.33     3.88     3.88  
レンズ全長    95.04    94.82   139.16  
BF             1.00     1.00     1.00  
d 5            0.78    17.45    63.11  
d11           34.11    12.46     0.89  
d12           10.06     4.14    -0.50  
d22            7.60     9.50    33.82  
d25            8.92    17.70     8.28  
ズームレンズ群データ
群  始面    焦点距離  
1    1      79.91  
2    6      -9.23  
3   12       ∞    
4   13      22.13  
5   23      34.06  
6   26       ∞    
【手続補正９】
【補正対象書類名】明細書
【補正対象項目名】００７７
【補正方法】変更
【補正の内容】
【００７７】
［数値実施例３］
単位 mm
面データ
面番号       r        d      nd         νd
1        118.790    1.00   1.83400    37.2           
2         51.310    5.62   1.43875    94.9           
3       -145.430    0.18                             
4         44.310    3.55   1.59282    68.6           
5        180.001  (可変)                             
6*       332.325    0.70   1.88300    40.8           
7*         8.486    4.62                             
8        -35.399    0.50   1.80400    46.6           
9         27.806    0.20                             
10         16.853    2.00   1.94595    18.0           
11         89.438  (可変)                             
12(絞り)    ∞     (可変)                             
13*        10.061    3.22   1.55332    71.7           
14*       -71.895    1.97                             
15         58.564    0.50   1.64769    33.8           
16         11.811    0.28                             
17         16.608    0.50   1.80400    46.6           
18          8.596    2.46   1.48749    70.2           
19        -27.078    0.30                             
20       -540.752    0.50   1.43875    94.9           
21         36.319    0.50                             
22(メカ絞り) ∞     (可変)                             
23        200.000    1.50   1.48749    70.2           
24       -200.000  (可変)                             
25         25.254    2.50   1.74950    35.3           
26        -27.317    0.50   1.94595    18.0           
27       -155.218  (可変)                             
28          ∞       0.80   1.51633    64.1           
29          ∞                                 
像面        ∞   
非球面データ
第6面
K =-2.05910e+004  A 4= 1.58190e-005  A 6= 3.17106e-007  A 8=-9.00913e-009
A10= 4.15788e-011  A12= 6.89800e-014  
第7面
K = 2.35040e-002  A 4=-6.33194e-005  A 6= 2.72212e-006  A 8=-2.88296e-008
A10=-6.46788e-010  A12= 3.29283e-012  
第13面
K =-4.36459e-001  A 4=-4.15458e-006  A 6=-6.98365e-008  A 8=-1.61017e-008
A10= 2.62605e-010  
第14面
K = 1.42167e+002  A 4= 1.17667e-004  A 6= 5.97043e-007  
各種データ
ズーム比     48.33 
広角     中間     望遠
焦点距離       4.30    13.22   208.03  
Fナンバー      2.87     5.00     7.07  
半画角（度）  37.75    16.34     1.07  
像高           3.33     3.88     3.88  
レンズ全長    96.08    95.89   140.54  
BF             1.00     1.00     1.00  
d 5            0.78    17.44    62.98  
d11           34.44    12.62     0.89  
d12            9.94     3.83    -0.50  
d22            1.89     2.36     2.76  
d24            5.10     6.55    30.66  
d27            9.02    18.18     8.84  
ズームレンズ群データ
群  始面    焦点距離  
1    1      79.72  
2    6      -9.18  
3   12       ∞    
4   13      23.55  
5   23     205.38  
6   25      34.97  
7   28       ∞    
【手続補正１０】
【補正対象書類名】明細書
【補正対象項目名】００７８
【補正方法】変更
【補正の内容】
【００７８】
［数値実施例４］
単位 mm
面データ
面番号       r        d      nd         νd
1        109.862    0.50   1.88300    40.8           
2         49.564    6.70   1.59282    68.6           
3      -1412.227    0.18                             
4         45.784    4.00   1.43875    94.9           
5        223.283  (可変)                             
6*       685.261    0.50   1.88300    40.8           
7*         8.346    5.69                             
8        -43.814    0.50   1.77250    49.6           
9         28.099    0.20                             
10         17.969    2.40   2.00178    19.3           
11         77.754  (可変)                             
12(絞り)    ∞     (可変)                             
13*         9.226    3.00   1.55332    71.7           
14*       -94.279    1.25                             
15         40.039    0.50   1.64769    33.8           
16         10.107    0.40                             
17         12.963    0.50   1.80400    46.6           
18          7.370    3.45   1.48749    70.2           
19        -25.998    0.30                             
20(メカ絞り) ∞     (可変)                             
21         48.687    0.50   1.48749    70.2           
22         16.141  (可変)                             
23         21.359    2.05   1.78590    44.2           
24        -48.900    0.50   1.94595    18.0           
25       -407.414  (可変)                             
26          ∞       0.80   1.51633    64.1           
27          ∞                              
像面        ∞   
非球面データ
第6面
K = 3.17593e+003  A 4= 1.23111e-005  A 6= 3.78879e-008  A 8=-8.77141e-011
第7面
K =-8.83033e-004  A 4=-1.34925e-005  A 6=-3.39607e-007  A 8=-5.98988e-009
第13面
K =-2.95489e-001  A 4=-7.85697e-005  A 6=-6.47947e-007  A 8=-1.51573e-008
A10= 2.62605e-010  
第14面
K =-1.48533e+002  A 4=-9.95689e-006  A 6=-7.51143e-007  
各種データ
ズーム比     66.08 
広角     中間     望遠
焦点距離       3.63    14.22   240.00  
Fナンバー      2.87     5.00     8.50  
半画角（度）  41.87    15.24     0.93  
像高           3.25     3.88     3.88  
レンズ全長    94.06    94.91   160.39  
BF             1.00     1.00     1.00  
d 5            0.50    19.82    76.77  
d11           27.68     9.14     0.98  
d12           17.41     2.50     0.03  
d20            1.63     2.09    14.83  
d22            2.76     7.08    28.23  
d25            9.16    19.36     4.63  
ズームレンズ群データ
群  始面    焦点距離  
1    1      98.00  
2    6      -9.32  
3   12       ∞    
4   13      17.90  
5   21     -49.78  
6   23      27.88  
7   26       ∞    
【手続補正１１】
【補正対象書類名】明細書
【補正対象項目名】００７９
【補正方法】変更
【補正の内容】
【００７９】
［数値実施例５］
単位 mm
面データ
面番号       r        d      nd         νd
1         86.882    0.50   1.91082    35.3           
2         51.691    6.00   1.59282    68.6           
3        963.636    0.18                             
4         49.891    4.00   1.43875    94.9           
5        183.284  (可変)                             
6*       726.742    0.50   1.88300    40.8           
7*         8.360    5.72                             
8        -44.450    0.50   1.77250    49.6           
9         28.115    0.20                             
10         17.990    2.40   2.00178    19.3           
11         74.295  (可変)                             
12(絞り)    ∞     (可変)                             
13*         9.227    3.00   1.55332    71.7           
14*      -103.260    1.27                             
15         39.464    0.50   1.64769    33.8           
16         10.110    0.41                             
17         12.947    0.50   1.80400    46.6           
18          7.367    3.45   1.48749    70.2           
19        -25.430    0.30                             
20(メカ絞り) ∞     (可変)                             
21         55.380    0.50   1.48749    70.2           
22         16.631  (可変)                             
23         21.959    2.40   1.78590    44.2           
24        -41.142    0.50   1.94595    18.0           
25       -193.394  (可変)                             
26          ∞       0.80   1.51633    64.1           
27          ∞                                
像面        ∞   
非球面データ
第6面
K = 3.42120e+003  A 4= 9.83645e-006  A 6= 4.89616e-008  A 8=-1.11774e-010
第7面
K =-2.22371e-002  A 4=-1.79532e-005  A 6=-1.75865e-007  A 8=-6.59089e-009
第13面
K =-3.59693e-001  A 4=-7.27635e-005  A 6=-5.90525e-007  A 8=-1.58851e-008
A10= 2.62605e-010  
第14面
K =-1.82579e+002  A 4=-1.38626e-005  A 6=-8.27199e-007  
各種データ
ズーム比     66.01 
広角     中間     望遠
焦点距離       3.64    14.27   240.13  
Fナンバー      2.87     5.00     8.45  
半画角（度）  41.82    15.20     0.92  
像高           3.25     3.88     3.88  
レンズ全長    94.11    94.86   160.30  
BF             1.00     1.00     1.00  
d 5            0.50    20.23    76.83  
d11           27.83     9.59     0.96  
d12           17.51     1.93     0.34  
d20            1.37     1.96    14.87  
d22            3.36     7.36    28.38  
d25            8.91    19.16     4.29  
ズームレンズ群データ
群  始面    焦点距離  
1    1      99.00  
2    6      -9.27  
3   12       ∞    
4   13      17.88  
5   21     -48.96  
6   23      27.25  
7   26       ∞    
【手続補正１２】
【補正対象書類名】明細書
【補正対象項目名】００８０
【補正方法】変更
【補正の内容】
【００８０】
［数値実施例６］
単位 mm
面データ
面番号       r        d      nd         νd
1        262.209    1.00   1.78590    44.2           
2         47.612    5.65   1.43875    94.9           
3        -98.945    0.18                             
4         42.885    3.59   1.59282    68.6           
5        342.030  (可変)                             
6*       125.953    0.70   1.88300    40.8           
7*         9.026    4.44                             
8        -38.558    0.50   1.80400    46.6           
9         27.148    0.20                             
10         16.509    1.99   1.94595    18.0           
11         68.374  (可変)                             
12(絞り)    ∞     (可変)                             
13*        10.061    3.05   1.55332    71.7           
14*       -71.895    2.31                             
15         59.518    0.50   1.64769    33.8           
16         10.770    0.34                             
17         15.396    0.50   1.80400    46.6           
18          9.238    2.51   1.48749    70.2           
19        -25.081    0.30                             
20         56.887    0.50   1.43875    94.9           
21         20.470    0.50                             
22(メカ絞り) ∞     (可変)                             
23         23.391    2.50   1.74950    35.3           
24        -34.948    0.50   1.94595    18.0           
25       -918.133  (可変)                             
26          ∞       0.80   1.51633    64.1           
27          ∞                                
像面        ∞   
非球面データ
第6面
K =-2.01275e+003  A 4=-4.89447e-006  A 6= 2.50372e-007  A 8=-1.49251e-010
A10= 1.23962e-012  A12=-1.37109e-013  
第7面
K =-1.63287e-001  A 4=-9.18471e-005  A 6= 4.15384e-006  A 8=-4.91870e-008
A10= 3.31638e-010  A12= 4.38668e-012  
第13面
K =-4.18355e-001  A 4=-1.90497e-005  A 6=-7.97423e-007  A 8=-5.24526e-009
A10= 2.62605e-010  
第14面
K = 6.57742e+001  A 4= 7.86226e-005  A 6=-7.15686e-007  
各種データ
ズーム比     44.60 
広角     中間     望遠
焦点距離       4.67    14.90   208.16  
Fナンバー      2.87     5.00     7.07  
半画角（度）  35.52    14.58     1.07  
像高           3.33     3.88     3.88  
レンズ全長    95.65    95.39   140.57  
BF             1.00     1.00     1.00  
d 5            0.78    17.21    63.10  
d11           35.60    14.15     0.90  
d12            9.44     2.18    -0.50  
d22            6.52     8.73    35.53  
d25            9.74    19.55     7.97  
ズームレンズ群データ
群  始面    焦点距離  
1    1      79.69  
2    6     -10.04  
3   12       ∞    
4   13      22.72  
5   23      36.16  
6   26       ∞    
【手続補正１３】
【補正対象書類名】明細書
【補正対象項目名】００８１
【補正方法】変更
【補正の内容】
【００８１】
［数値実施例７］
単位 mm
面データ
面番号       r        d      nd         νd
1       -975.672    1.00   1.77250    49.6           
2         45.153    5.65   1.43875    94.9           
3        -68.433    0.18                             
4         40.765    3.60   1.59282    68.6           
5        609.699  (可変)                             
6*       107.660    0.70   1.88300    40.8           
7*         9.088    3.96                             
8        -38.292    0.50   1.80400    46.6           
9         26.971    0.20                             
10         16.374    2.00   1.94595    18.0           
11         65.276  (可変)                             
12(絞り)    ∞     (可変)                             
13*        10.061    3.05   1.55332    71.7           
14*       -71.895    2.11                             
15         69.831    0.50   1.64769    33.8           
16         11.411    0.49                             
17         17.873    0.50   1.80400    46.6           
18          9.330    2.50   1.48749    70.2           
19        -23.140    0.30                             
20         53.117    0.50   1.43875    94.9           
21         28.193    0.50                             
22(メカ絞り) ∞     (可変)                             
23         25.930    2.50   1.74950    35.3           
24        -41.759    0.50   1.94595    18.0           
25      -1399.794  (可変)                             
26          ∞       0.80   1.51633    64.1           
27          ∞                                
像面        ∞   
非球面データ
第6面
K =-1.76248e+003  A 4=-2.80044e-005  A 6= 2.22187e-007  A 8=-1.80228e-009
A10= 4.80830e-011  A12=-4.13508e-013  
第7面
K =-4.06661e-002  A 4=-1.77312e-004  A 6= 5.61695e-006  A 8=-9.71172e-008
A10=-6.78428e-011  A12= 1.72137e-011  
第13面
K =-2.83568e-001  A 4=-8.12629e-005  A 6=-5.37070e-007  A 8=-1.79756e-008
A10= 2.62605e-010  
第14面
K =-6.48590e+001  A 4=-2.45025e-005  A 6=-5.22682e-007  
各種データ
ズーム比     41.20 
広角     中間     望遠
焦点距離       5.05    16.05   208.00  
Fナンバー      2.87     5.00     7.07  
半画角（度）  33.43    13.57     1.07  
像高           3.33     3.88     3.88  
レンズ全長    97.28    97.14   142.60  
BF             1.00     1.00     1.00  
d 5            0.78    18.19    64.46  
d11           35.93    13.90     0.90  
d12            8.70     1.42    -0.49  
d22           11.05    10.26    37.47  
d25            7.80    20.34     7.23  
ズームレンズ群データ
群  始面    焦点距離  
1    1      80.13  
2    6     -10.19  
3   12       ∞    
4   13      22.29  
5   23      39.94  
6   26       ∞